(57)【要約】【課題】停電時に安全に非難させることができるとともに、意匠的表現や装飾性の豊かな表現をすることのできる立体構造物を提供すること。【解決手段】立体構造物１は、第１のプレート２と第２のプレート３とを接着剤８で接合する。第１のプレート２は、一方の面を印刷面２ａに形成して印刷表示５を施し、他方の面に、蓄光性シール６を貼着している。第１のプレート２の印刷面２ａと第２のプレート３の一方の面を可視光重合型一液性樹脂材で形成された接着剤８で接合する。印刷表示を、例えば、「非常口」を示す内容で表示することによって、停電時、蓄光性シール６の残光により人を安全に非常口に避難させることができる。【選択図】図３
2009172916.tif 000002
【特許請求の範囲】
【請求項１】
光透過性樹脂材で形成されたプレートと、前記プレートに記録手段を施して薄板状に形成された被写部材とを、可視光重合型一液性接着剤で接合して形成されるとともに、前記プレートの前記被写部材との接合面と別の面に、蓄光性蛍光材料で形成されたシール層が形成されていることを特徴とする立体構造物。
【請求項２】
光透過性樹脂材で形成された第１のプレートの一方の面に印刷が施され、前記第１のプレートの印刷された面に光透過性樹脂材で形成された第２のプレートを、可視光重合型一液性接着剤で接合して形成されるとともに、前記第１のプレートの印刷面と前記第２のプレートとの接合面とは別の面に、蓄光性蛍光材料で形成されたシール層が形成されていることを特徴とする立体構造物。
【請求項３】
光透過性樹脂材で形成された複数のプレートを、可視光重合型一液性接着剤で接合して形成された立体構造物であって、
複数のプレートのうち、１接合面には記録手段を施して薄板状に形成された被写部材が挟着され、他の接合面あるいは外端面のいずれかの面に、蓄光性蛍光材料で形成されたシール層が形成されていることを特徴とする立体構造物。
【請求項４】
光透過性樹脂材で形成された複数のプレートを、可視光重合型一液性接着剤で接合して形成された立体構造物であって、
複数のプレートのうち、１枚のプレートの一方の面には印刷が施された印刷面に形成され、前記印刷面と別の接合面あるいは外端面のいずれかの面に蓄光性蛍光材料で形成されたシール層が形成されていることを特徴とする立体構造物。
【請求項５】
光透過性樹脂材で形成された少なくとも一対のプレートを可視光重合型一液性接着剤で接合された立体構造物であって、
前記一対のプレート間に、蓄光性蛍光材料で形成された表示物が挟着されていることを特徴とする立体構造物。
【請求項６】
前記シール層が、ユウロピウムを賦活したアルカリ土類金属のアルミン酸塩を蓄光性蛍光体材料として形成していることを特徴とする請求項１，２，３，４又は５のいずれかに記載の立体構造物。
【請求項７】
前記接着剤で接合された１枚の前記プレート又は前記複数のプレートの外周形状が、切削加工又は研磨加工によって形成されていることを特徴とする請求項１，２，３，４，５又は６のいずれかに記載の立体構造物。
【発明の詳細な説明】
【技術分野】
【０００１】
本発明は光透過性樹脂材を使用して多彩な表現をかもし出すことができる置物や飾り物等の立体構造物に関し、さらに意匠性、装飾性に優れた立体構造物に関する。
【背景技術】
【０００２】
光透過性樹脂材を使用した置物や飾り物は、従来から提供されている。例えば、従来において、固型中空部を透明性の樹脂枠体内に備えた立体有形物の樹脂構造体が特許文献１によって知られている。これによると、立体有形物の樹脂構造体は、各種の教材・展示物・置物において平面的な写真や印刷物に代わるものとして有用に活用できるものとして提供されている。この樹脂構造体は継ぎ目なし樹脂枠体に固型中空部として現した構造からなり、中空部を彫刻体の立体外周と同一サイズ同一形状の外形形状を有する立体中空部にして底部が開放されて外側と連通した構造となっている。
【特許文献１】特開２００４−１１４４７３公報
【特許文献２】特開２００１−２７１０６４公報
【発明の開示】
【発明が解決しようとする課題】
【０００３】
しかし、特許文献１に開示されているものでは、実物と同質同一となる精微な外周形状・表面意匠を備えた高度のリアリティで高品質なものであるものの、その成形方法は、精微鋳造のロストワックス工法を応用していることから、極めてコストを高くするものであった。また、透明な樹脂枠を使用しているものの、樹脂材内で表現される表現体を、例えば、光の屈折等を利用して強調することに関しては表現しきれない状態であった。つまり、透明な樹脂枠内に表現される表現体を挿入して、光を当てることによって多彩な意匠的表現や色彩的な表現を強調することはできなかった。
【課題を解決するための手段】
【０００４】
本発明は、上述の課題を解決するものであり、多彩な表現を強調することができるとともに、多様なものに利用できる立体構造物を提供することを目的とする。そのために、本発明に係る立体構造物は、以下のように構成するものである。すなわち、
請求項１記載の発明では、光透過性樹脂材で形成されたプレートと、前記プレートに記録手段を施して薄板状に形成された被写部材とを、可視光重合型一液性接着剤で接合して形成されるとともに、前記プレートの前記被写部材との接合面と別の面に、蓄光性蛍光材料で形成されたシール層が形成されていることを特徴とするものである。
【０００５】
請求項２記載の発明では、光透過性樹脂材で形成された第１のプレートの一方の面に印刷が施され、前記第１のプレートの印刷された面に光透過性樹脂材で形成された第２のプレートを、可視光重合型一液性接着剤で接合して形成されるとともに、前記第１のプレートの印刷面と前記第２のプレートとの接合面と別の面に、蓄光性蛍光材料で形成されたシール層が形成されていることを特徴とするものである。
【０００６】
請求項３記載の発明では、光透過性樹脂材で形成された複数のプレートを、可視光重合型一液性接着剤で接合して形成された立体構造物であって、複数のプレートのうち、１接合面には記録手段を施して薄板状に形成された被写部材が挟着され、他の接合面あるいは外端面のいずれかの面に、蓄光性蛍光材料で形成されたシール層が形成されていることを特徴とするものである。
【０００７】
請求項４記載の発明では、光透過性樹脂材で形成された複数のプレートを、可視光重合型一液性接着剤で接合して形成された立体構造物であって、複数のプレートのうち、１枚のプレートの一方の面には印刷が施された印刷面に形成され、前記印刷面と別の接合面あるいは外端面のいずれかの面に、蓄光性蛍光材料で形成されたシール層が形成されていることを特徴とするものである。
【０００８】
請求項５記載の発明では、光透過性樹脂材で形成された少なくとも一対のプレートを可視光重合型一液性接着剤で接合された立体構造物であって、前記一対のプレート間に、蓄光性蛍光材料で形成された表示物が挟着されていることを特徴とするものである。
【０００９】
請求項６記載の発明では、前記シール層が、ユウロピウムを賦活したアルカリ土類金属のアルミン酸塩を蓄光性蛍光体材料として形成していることを特徴としている。
【００１０】
請求項７記載の発明では、前記接着剤で接合された１枚の前記プレート又は前記複数のプレートの外周形状が、切削加工又は研磨加工によって形成されていることを特徴としている。
【発明の効果】
【００１１】
本発明によれば、立体構造物は、光透過性樹脂材で形成されたプレートと記録手段を施した薄板状の被写部材とを、可視光重合型一液性接着剤で接合することによって、板状に形成するプレートと被写部材とを容易に接合することができる。この接着剤は気泡を発生することなくまた光の屈折を妨げることなく接着できる。しかも、被写部材は蓄光性蛍光材料で形成されたシール層によって、太陽の陽や電気が消えても表示することができることから、夜間や暗い場所でも立体構造物を鑑賞することができる。
【００１２】
したがって、プレートに独自な表現を付与する被写部材を接合して、被写部材に多様な記録手段（例えば、有色、印刷した文字、各種の模様等）を施すことによって、光透過性樹脂材で形成されたプレートを通して多彩な表現を付与することができて、ディスプレイや置物又は飾り物等としてファンタジックに鑑賞することができる。
【００１３】
また、この立体構造物は、光透過性樹脂材で形成された２枚または３枚以上のプレートで構成しても、蓄光性蛍光材料で形成されたシール層を形成することによって、残光を灯すことができる。そのため、停電時や電気が消灯した夜間において、人を安全に避難させことができ緊急時の対応に適用できる。
【００１４】
この立体構造物は、薄板状の被写部材を挿入するものではなくても、１枚のプレートの一方の面に印刷表示を形成したものであって、印刷表示を蓄光性蛍光材料で表示可能とするものであってもよく、また蓄光性蛍光材料で形成された表示物を各プレート間に挟着するようにしてもよい。
【００１５】
いずれにしろ、この立体構造物で使用されるシール層が、ユウロピウムを賦活したアルカリ土類金属のアルミン酸塩を蓄光性蛍光体材料として形成されているものであれば、電気を消灯してから長時間残光輝度を維持することができる。さらに、被写部材やシール層を接合した多層のプレートの外形を切削加工や研磨加工で仕上げることから、透過性樹脂剤の外観形状を綺麗にまた自由に表現できることとなって高級感を表現させることができる。
【発明を実施するための最良の形態】
【００１６】
次に、本発明の実施形態による立体構造物を図面に基づいて説明する。
【００１７】
本願発明は光透過性樹脂材を接着剤で複数層に形成して、多彩な形状にするものであり、図１〜３は本願発明の基本的な実施形態を示している。
【００１８】
第１の形態による立体構造物１は、光透過性樹脂材で形成された２枚の矩形板状のプレート２、３を接着剤８で接着して重合している。第１のプレート２には一方の面が印刷面２ａとして形成されている。印刷面２ａには、設置される場所に応じて適宜な印刷表示５が施されている。第１のプレート２の他方の面には蓄光性蛍光材料で形成されたシール（以下、蓄光性シールという。）６が貼着されている。第２のプレート３の一方の面は、第１のプレート２の印刷面２ａと接着剤８で接合されている。なお、第１の形態の立体構造物１においては、印刷された印刷表示５は、ビル建物内や劇場等で使用される「非常口」を表示している。
【００１９】
第１のプレート２、第２のプレート３は、光透過性樹脂材、例えば、アクリル系樹脂材あるいはポリカーボネート系樹脂材、で形成されている。第１のプレート２、第２のプレート３の外形は，実施形態では，矩形板状に形成されているが、もちろん、これに限定するものではなく、例えば、円型板状や、多角形板状、楕円板状に形成されていてもよい。
【００２０】
接着剤８は、接着する際に気泡を発生させず、また、第１のプレート２と第２のプレート３に透過する光の屈折を妨げないような特殊な接着剤８を使用する。この接着剤８は、例えば、可視光重合型プラスチック用接着剤として形成された商品名「クリアルーチェＭＡ２１」（株式会社アーデル製  登録商標）を使用している。商品名「クリアルーチェＭＡ２１」は、成分が変成アクリレートで形成され、黄色透明液体の外観を有して粘度が１５〜２５ｍＰ・ｓと超低粘度を示している。つまり、アクリルやポリカーボネートなどの透明樹脂板の面接着に最適な可視光重合型一液性接着剤であり、アクリル系モノマーだけからなる無溶剤系接着剤である。この接着剤８はアクリル樹脂やポリカーボネートを溶解せずに強力接着できることが特徴である。
【００２１】
この接着剤８は、各プレートの接合面、つまり、第１のプレート２の印刷される面の全面、あるいは第２のプレート３における第１のプレート２の印刷面２ａと対向する面の全面に塗布される。従って、第１のプレート２の接着面は、印刷表示５とその周りの周縁部となり周縁部において強力な接着が得られる。
【００２２】
この第１の形態の立体構造物１は、図２に示すように、第１のプレート２の一方の面に印刷表示５を施した後、第１のプレート２における印刷面２ａと反対側の面に蓄光性シール６を貼着し、第１のプレート２の印刷面２ａと第２のプレート３との一方の面に接着剤８を塗布して重ね合わせた後、光を照射することによって接合する。これは、接着剤８が光を照射することによって硬化するためである。第１のプレート２と第２のプレート３とを一体的に接合した後、切削加工又は研磨加工によって外周面を加工して最終的な製品として形成する。なお、切削加工又は研磨加工をする際、外周面を自由な形状にすることができる。実施形態においては、矩形板状に形成しているが、真円状に形成してもよく、また楕円状でもよく、さらには自由な曲面に形成してもよい。なお、蓄光性シール６の粘着は第１のプレート２と第２のプレート３の外周面を研磨加工した後で行なってもよい。
【００２３】
印刷表示５は、文字や記号又は図形あるいは絵表示や写真等であり、この印刷表示５は立体素材に対応した印刷機で印刷される。この印刷機において、印刷表示５は、第１のプレート２の周縁部を残して略全面に印刷される。
【００２４】
蓄光性シール６は、一般的に使用されている夜間利用可能な硫化物系蛍光体で形成されたもの、あるいは、長時間の残光特性を有する材料で形成されたものが使用される。実施形態においては、長時間の輝度を維持できるものを使用している。例えば、ユウロピウムを賦活したアルカリ土類金属のアルミン酸塩を蓄光性蛍光体材料として形成された「ルミノバ  シート」（根本特殊化学株式会社製  登録商標）を使用している。この蓄光性蛍光材料は、特許文献２で詳細に示されているように、ＭＡＩ2Ｏ4で表される化合物で、Ｍは、カルシウム、ストロンチウム、バリウムからなる群から選ばれる少なくとも１つ以上の金属元素からなる化合物を母結晶にし、これを賦活剤としてユウロピウムを、Ｍで表す金属元素に対するモル％で０．００１％以上１０％以下添加し、さらに共賦活剤としてマンガン、スズ、ビスマスからなる群の少なくとも１つ以上の元素を、Ｍで表す金属元素に対するモル％で０．００１％以上１０％以下添加したものである。
【００２５】
なお、第１の形態の立体構造物１は、上述の形態に限定するものではなく、印刷表示５が施された第１のプレート２と印刷が施されていない複数の第２のプレート３で構成してもよい。例えば、立体構造物１Ａは、図４に示すように、第１のプレート２を挟んで第２のプレート３、３を重合して形成されている。第１のプレート２の印刷面２ａと反対側の第２のプレート３は２枚重合され、その外端面には蓄光性シール６が貼着されている。
【００２６】
また、図５に示す立体構造物１Ｂは、一方の面に印刷面２ａを形成し、他方の面に蓄光性シール６を貼着した第１のプレート２を挟むように一対の第２のプレート３、３が重合されている。第１のプレート２の印刷面２ａと第２のプレート３とは接着剤８で接合され、蓄光性シール６と第２のプレート３とは接着剤８で接合されている。
【００２７】
したがって、「非常口」を表示した第１の形態の立体構造物１では、例えば、ビル建物や劇場に設置されていれば、電気消灯時や停電時において、残光によって非常口の位置を表示することができることから、安全に避難することができる。
【００２８】
第２の形態による立体構造物は、光透過性樹脂材で形成された一対のプレートと一対のプレート間に挟持された被写部材とを接着剤で接合して形成されている。つまり、図６〜７に示すように、立体構造物１１は、第１のプレート１２、第２のプレート１３及び被写部材１４とからなり、第１のプレート１２における第２のプレート１３との接合面と反対側の面には蓄光性シール６が貼着されている。
【００２９】
第１のプレート１２は、ベース板として円板状に形成されて一方の面が第２のプレート１３と対向し、他方の面に蓄光性シール６が貼着されている。第２のプレート１３は、立体構造物１１の特徴的な外観形状を示すものであり、球状の一部を切り欠いた中実の湾曲部１３ａを有している。湾曲部１３ａの下方は、第１のプレート１２と接合する面を有する円板部１３ｂが形成されている。第１のプレート１２と第２のプレート１３との間に薄板状に形成された被写部材１４をそれぞれ接着剤８で接着して重合している。
【００３０】
なお、第１のプレート１２と第２のプレート１３は、前述と同様、光透過性樹脂材、例えば、アクリル系樹脂材あるいはポリカーボネート系樹脂材、で形成されている。
【００３１】
被写部材１４は、木製、布製、紙製又は樹脂製のもので形成され、第１のプレート１２と略同一の外径で円板状に形成されている。また、被写部材１４には記録手段が設けられている。記録手段は光透過性の第２のプレート１３を透過して独自の雰囲気を表現するものであり、特に湾曲部１３ａを通ることによって光の屈折でその表現が拡大されることになる。この記録手段は、例えば、有色に形成されるか、印刷して形成されるか、適宜な模様をつけて形成されるかによって立体構造物１１の独自の表現を可能にしている。実施形態の被写部材１４の厚みは、０．１〜１ｍｍの間に形成され、図６〜７においては、被写部材１４は木製で形成され、記録手段として床又は壁に適した木目模様が形成されている。
【００３２】
また、立体構造物１１は、被写部材１４を第１のプレート１２及び第２のプレート１３との間に接着剤８で接着することによって第１のプレート１２と第２のプレート１３とを一体的に形成する。この接着剤８は、前述の形態と同様、可視光重合型プラスチック用接着剤として形成された商品名「クリアルーチェＭＡ２１」（株式会社アーデル製  登録商標）を使用している。また、蓄光性シール６も、前述と同様の「ルミノバ  シート」（根本特殊化学株式会社製  登録商標）を使用している。
【００３３】
この第２の形態の立体構造物１１を製作する場合は、まず矩形板状の第１のプレート１２と被写部材１４と矩形板状の第２のプレート１３とを接着剤８の接着によって一体的に形成した後、切削加工又は研磨加工によって最終的な製品として形成する。つまり、まず矩形板状の２枚の樹脂板を予め工作機械で円板状となるように粗加工する。その後、円板状の被写部材１４を接着剤８で接着して一体的に形成する。そして、第２のプレート１３を被写部材１４の外径に合わせて湾曲状に切削加工して第２のプレート１３の外周形状を形成する。その後、第１のプレート１２と第２のプレート１３との外周表面に研磨加工を行なって仕上げる。蓄光性シール６は、予め第１のプレート１２に貼着してから切削加工を行なってもよく、また、第１のプレート１２の外周表面の研磨加工を行なってから貼着してもよい。
【００３４】
これによって形成された立体構造物１では、光の屈折により記録手段としての被写部材１４とその木目模様が第２のプレート１３の湾曲部１３ａに写し出されて、被写部材１４の形状と木目模様が膨潤した状態を鑑賞することができる。しかも、蓄光性シール６によって、夜間、電気が消灯した後でも残光によって、周辺を照らすことができるとともに、木目模様を鑑賞することができる。
【００３５】
なお、この形態の場合、第１のプレート１２を多数層で形成してもよい。この場合、蓄光性シール６は、複数の第１のプレート１２間に挿入してもよく、第１のプレート１２の外端面に貼着するように配置してもよい。
【００３６】
また、第２の形態の変形として、図８〜９に示すように、第１のプレート１６を矩形板状に形成し、第２のプレート１８が図７における円板部１３ｂを除いた湾曲部１７ａに形成されたものである。また、第１のプレート１７は第２のプレート１８より大形に形成されている。このように形成されている単一の立体構造物１６を左右方向、上下方向に並列させて、建物の壁に装着するタイルとして使用することができる。この場合、被写部材１４は有色に形成されるとともに第１のプレート１７と第２のプレート１８との間に挿入され、第１のプレート１７における被写部材１４が挿入される面と反対側には蓄光性シール６が貼着されている。
【００３７】
したがって、例えば、この立体構造物１６を並列したタイルが、風呂場あるいはキッチンルームの壁に貼着されていれば、被写部材１４の有色により、室内を明るくした雰囲気をかもし出すことができるとともに、蓄光性シール１６によって残光を灯すことから、停電時に、慌てることなく安全に避難することができる。
【００３８】
次に、第３の形態の立体構造物について説明する。図１０〜１１に示すように、第３の形態の立体構造物２１は、半円柱状に形成された第１のプレート２２と半円柱状に形成された第２のプレート２３との間に蓄光性シール６が挟着されたものである。半円柱状の第１のプレート２２と半円柱状の第２のプレート２３とを蓄光性シール６を挟んで接合することによって、円柱状の部材、例えば、手摺として使用することができる。
【００３９】
第１のプレート２２、第２のプレート２３は、前述の形態と同様、いずれもアクリル系樹脂材あるいはポリカーボネート系樹脂材の光透過性樹脂材で形成され、蓄光性シール６も、前述と同様、ユウロピウムを賦活したアルカリ土類金属のアルミン酸塩を蓄光性蛍光体材料として形成された「ルミノバ  シート」（根本特殊化学株式会社製  登録商標）を使用している。第１のプレート２２と第２のプレート２３の対向する面は、蓄光性シール６を介して接着剤８で接合されている。接着剤８も前述と同様、可視光重合型プラスチック用接着剤として形成された商品名「クリアルーチェＭＡ２１」（株式会社アーデル製  登録商標）を使用している。この際、第１のプレート２２と第２のプレート２３とを、強固に接着するためには、蓄光性シール６の外形を、第１のプレート２２及び第２のプレート２３の平面部（合わせ面）の外形より小さくするか、あるいは、蓄光性シール６に小孔を多数形成するかして、両平面部と直接接着する面積を増やすことが望ましい。
【００４０】
この立体構造物２１を製作する場合、光透過性樹脂部材で形成された円柱部材を軸心に沿って切断して形成した後、第１のプレート２２と第２のプレート２３のそれぞれの合わせ面の間に、蓄光性シール６を挿入して接着剤８で接合する。この際、光を照射して接着剤８を硬化させる。第１のプレート２２と第２のプレート２３とを一体的に接合した状態で、第１のプレート２２と第２のプレート２３の外周面を研磨加工して仕上げる。
【００４１】
第３の形態の立体構造物２１においては、その長さを長尺状に形成することによって、各種の手摺として使用することができる。つまり、手摺が階段の壁部に設置されるものであれば、階段に設置されている電気が暗くても、また停電で消灯した後でも、立体構造物２１の蓄光性シール６によって、残光を灯すことができ、安全に階段の昇降を行うことができる。また、玄関に設置すれば、日暮れ時に、室内で電灯が消灯している状態でも、太陽の光の残光によって玄関のドアの鍵の施錠及び施錠解除を容易に行うことができる。
【００４２】
この場合、蓄光性シール６を有色にて形成すれば、さらに、手摺を目立てさせることができ、高齢者にとっても安全に使用できるとともに、カラフルな飾り物として鑑賞することもできる。
【００４３】
第４の形態の立体構造物は、蓄光性シールを文字や記号あるいは絵文字に切り抜いて切り抜きシールを形成し、切り抜きシールを２つのプレート間に挿入して形成するものである。例えば、図１２〜１３に示すように、立体構造物２６は、第１のプレート２７と第２のプレート２８とを備え、第１のプレート２７と第２のプレート２８との間に切り抜きシール２９を挿入している。
【００４４】
第１のプレート２７と第２のプレート２８は、前述と同様、アクリル系樹脂材あるいはポリカーボネート系樹脂材で形成された光透過性樹脂材であり、この接着剤８は、前述の形態と同様、可視光重合型プラスチック用接着剤として形成された商品名「クリアルーチェＭＡ２１」（株式会社アーデル製  登録商標）を使用している。また、蓄光性シール６（切り抜きシール２９）も、前述と同様の「ルミノバ  シート」（根本特殊化学株式会社製  登録商標）を使用している。
【００４５】
切り抜きシール２９は、蓄光性シール６から文字や記号の形に切り抜いたものであり、第４の形態の立体構造物２６場合、「非」「常」「口」の文字と「←」の記号に切り抜いている。この切り抜きシール２９を第１のプレート２７と第２のプレート２８との間に挿入して、接着剤８で一体的に接合している。これによって、蓄光性シール６から切り抜いた切り抜きシール２９によって、電気が消灯しても残光を灯すことができるとともに、第１の形態の立体構造物１に対して、より簡潔に構成された立体構造物２６が形成されることになる。
【００４６】
次に、第５の形態の立体構造物について説明する。この形態の立体構造物は、被写部材が、立体構造物の端面に配置されているものであり、図１４〜１５に示すように、立体構造物３１は光透過性樹脂材で形成されたプレート３２が接着剤８で接合されて複数層に重合された円柱状に形成されている。一端に配置されたプレート３２の外端面には有色の被写部材３４が接着剤８で接合されている。さらに、被写部材３４の外端面には蓄光性シール６が貼着されている。
【００４７】
複数のプレート３２の軸方向両端面には凹状湾曲部３５、３５が形成され、一方の側面には軸方向に沿って平面部３６が形成されている。
【００４８】
プレート３２は、前述の形態と同様、いずれもアクリル系樹脂材あるいはポリカーボネート系樹脂材の光透過性樹脂材で形成され、被写部材３４もアクリル系樹脂材あるいはポリカーボネート系樹脂材の光透過性樹脂材で形成されているとともに、有色に形成されている。蓄光性シール６も、前述と同様、ユウロピウムを賦活したアルカリ土類金属のアルミン酸塩を蓄光性蛍光体材料として形成された「ルミノバ  シート」（根本特殊化学株式会社製  登録商標）を使用している。接着剤８も前述と同様、可視光重合型プラスチック用接着剤として形成された商品名「クリアルーチェＭＡ２１」（株式会社アーデル製  登録商標）を使用している。
【００４９】
この立体構造物３１を製作する場合、円板状に形成された被写部材３４を一端に配置して円板状に形成された複数のプレート３２を接着剤８で接着した後、接着剤８に光を照射することによって硬化させる。その後、表面を切削加工で円柱状に形成する。そして、凹状湾曲部３５及び側面の平面部３６を切削加工して全体表面を研磨加工で仕上げる。その後、蓄光性シール６を被写部材３４の外端面に貼着して立体構造物３１が形成される。
【００５０】
この立体構造物３１は有色の被写部材３４が凹状湾曲部３５に写し出されて色が拡大された常態でファンタジックな雰囲気を作ることができる。そのため、立体的でカラフルな置物又は飾り物として好適に使用することができる。しかも、蓄光性シール６によって、電気が消灯しても残光が灯ることになるから、例えば、玄関の外や、庭等に設置すれば、周辺を照らすことができて独特な雰囲気をかもし出すこともできる。
【００５１】
上述のように、実施形態の立体構造物１は、光透過性樹脂材で形成された一対のプレート２、３を接着剤８で接合して形成されている。この一対のプレート２、３間、あるいは一方のプレート２の端面に、表示物を配置する。表示物は、一方のプレートに形成された印刷表示５や薄板状に形成された被写部材１４、又は蓄光性シール６であっても良い。この立体構造物に対して、光を透過させることによって、表示物が独特な雰囲気を有して表示されるとともに、立体構造物には蓄光性シール６が粘着されていることから、夜間時や電気の消灯時において、残光を灯すことができる。そのため、ビル建物や劇場の壁に設置し、非常口の案内として使用すれば、停電時において、安全に非難させることができる。また、この立体構造物を手摺として、例えば、階段や廊下等の暗い場所に設置すれば、電気が消灯してもその残光によって、高齢者でも安全に手摺に捉まることができる。さらには、表示物を有色に形成することによって、独特な雰囲気をかもし出す飾り物や置物として使用することができる。この場合も蓄光性シールによってファンタジックな雰囲気を作ることができる。
【００５２】
なお、本発明の立体構造物は、上記の形態に限定するものではない。各形態は、それぞれの立体構造物の特徴部分を示すものであって、表示内容は、あくまで一つの例を示したものである。例えば、第１の形態、及び第３の形態、第４の形態に示す印刷表示内容は、設置される場所に合わせて適宜形成されていればよい。
【００５３】
また、第２の形態に示す立体構造物１１の被写部材１４として使用される薄板状部材は、その厚みに限定されるものではない。また、第２の形態の変形である立体構造物１６は、左右方向又は上下方向に並列できるものであれば、第１のプレート１７は多角形でもよく、第１のプレート１７を平面視真円状に形成し、隣接する部位に平面部を形成したものであってもよい。
【００５４】
さらに第３の形態の立体構造物２１としての手摺においては、第１のプレート２２や第２のプレート２３を多層に形成してもよく、外形を円柱状ではなく、円筒状にしてもよく、また多角形に形成してもよい。さらに第１のプレート２２と第２のプレート２３間に挿入する蓄光性シール６を、第４の形態の立体構造物２６における切り抜きシール２９にしてもよく、蓄光性シール６に隣接して第２の形態の立体構造物１１に示す被写部材１４を配置してもよい。また、第５の形態の場合は、被写部材３４を各プレート３２間に挿入してもよい。
【００５５】
いずれにしろ、光透過性樹脂材で形成されたプレートと、印刷面や被写部材で形成された表示部材及び蓄光性シールを使用して、各形態の各部位の組み合わせによって形成される立体構造物であれば、本発明として適宜適用することができる。
【図面の簡単な説明】
【００５６】
【図１】本発明における第１の形態の立体構造物を示す正面図である。
【図２】同側面図である。
【図３】同分解斜視図である。
【図４】第１の形態の立体構造物における別の形態を示す側面図である。
【図５】第１の形態の立体構造物におけるさらに別の形態を示す側面図である。
【図６】第２の形態の立体構造物を示す斜視図である。
【図７】同正面図である。
【図８】第２の形態の一部を変形した立体構造物を示す斜視図である。
【図９】同正面図である。
【図１０】第３の形態の立体構造物を示す斜視図である。
【図１１】同側面図である。
【図１２】第４の形態の立体構造物を示す正面図である。
【図１３】同側面図である。
【図１４】第５の形態の立体構造物を示す斜視図である。
【図１５】同正面図である。
【符号の説明】
【００５７】
１、１１、１６、２１、２６、３１、立体構造物
２、１２、１７、２２、２７、第１のプレート
２ａ、印刷面
３、１３、１８、２３、２８、第２のプレート
５、印刷表示
６、蓄光性シール
８、接着剤
１４、３４、被写部材
２９、切り抜きシール
３２、プレート
【図１】
2009172916.tif 000003
【図２】
2009172916.tif 000004
【図３】
2009172916.tif 000005
【図４】
2009172916.tif 000006
【図５】
2009172916.tif 000007
【図６】
2009172916.tif 000008
【図７】
2009172916.tif 000009
【図８】
2009172916.tif 000010
【図９】
2009172916.tif 000011
【図１０】
2009172916.tif 000012
【図１１】
2009172916.tif 000013
【図１２】
2009172916.tif 000014
【図１３】
2009172916.tif 000015
【図１４】
2009172916.tif 000016
【図１５】
2009172916.tif 000017